(57)【要約】      （修正有）【課題】従来のパイプ用継手の不具合を改良し、医療用チューブと医療機器との接続において迅速かつ漏れのない確実な接続強度を確保出来る医療用チューブ継手を廉価に取り入れることを可能とする。【解決手段】樹脂製の医療用チューブ２の差し込みを許容する継手本体となるソケット１１と、このソケット端部にチューブ保持リング１２、Ｏ−リング１３が順次配置され、これ等をキャップ１４にて外れ止めした医療用チューブ継手１であって、チューブ保持リング１２による接続強度の確保と、チューブ保持リング１２の爪部を通過しない位置で医療用チューブ２の外表面とキャップ１４内表面との間にＯ−リング１３を挟み込んで気密性を確保する機能を併せ持った医療用チューブ継手。さらには、上記機能確保に特化し、構造の簡略化と必要最小限の構成部品数とすることで製造コストを抑えた継手。【選択図】図２
2007209390.tif 000002
【特許請求の範囲】
【請求項１】
樹脂製チューブの差し込みを許容する継手本体となるソケットと、このソケット端部にチューブ保持リング、Ｏ−リングが順次配置され、これ等をキャップにて外れ止めした樹脂製医療用チューブ継手であって、
チューブ保持リングの爪部を通過しない位置で樹脂製チューブの外表面とキャップ内表面との間にＯ−リングを挟み込んで気密性を確保したことを特徴とする樹脂製医療用チューブ継手。
【発明の詳細な説明】
【技術分野】
【０００１】
本発明は、医療用チューブ継手に関するものである。
【背景技術】
【０００２】
医療用チューブと医療機器との接続においては迅速かつ漏れのない確実な接続強度が要求され、様々な接続方法が考えられ応用されている。あらかじめ決められた長さで使用する医療用チューブと医療機器との接続の場合は、概チューブ端部に医療機器との接続用コネクターを付設することも可能であるが、医家が任意にチューブの長さを切断して医療機器と接続する用途においては、医療機器側に概チューブに挿入可能なニップルを備え、切断した医療用チューブ端部を概ニップルに押し被せて接続する方法が多く用いられている。
【０００３】
ニップルを使用した医療用チューブと医療機器の接続の場合、前述の漏れのない確実な接続強度を確保する為に概チューブ内径に対し、ニップルの外径を１．１〜２．０倍程度まで大きくする必要があり、ある程度の差し込み長さも必要とする。つまり概チューブの伸縮性を利用した密着接合であるが、概チューブは伸縮性が高い反面、腰が弱く一般的に接続操作が困難である場合が多い。さらに概チューブの外径が４ｍｍ以下の場合にはその傾向が強く現れる為、接続操作の簡便化は強く求められていた。
【０００４】
操作が容易で確実な接続強度が得られるという接続用途においては、従来のパイプ用継手が好ましい。例えば特開平８−１４５２６４号に示すように継手の本体となるソケット内に漏水対策としてのＯ−リングと、樹脂製パイプの接続を完全にする為のパイプ保持リングが挿入されており、樹脂製パイプはこのソケット内に挿入されてパイプ保持リングの爪部によって外表面が喰い込まれて接続されると共に、樹脂製パイプの外表面とソケット内表面との間にＯ−リングを挟み込んで漏水の発生を防いでいる構造となっている。
【０００５】
しかし、このパイプ用継手の構造は、樹脂製パイプをソケット内に挿入する際にパイプ保持リングの爪部によって樹脂製パイプの外表面にパイプ軸方向に筋状の傷を付け、これに起因する漏水の恐れがあった。さらに樹脂製パイプが外せるように、パイプ保持リングの爪部の食い込みを解除するリリース部材が組み込まれており、継手の構造が複雑化し、廉価で製造することが困難である。
【０００６】
医療用チューブと医療機器との接続に用いられる継手において漏水、漏気は許されざる不具合であり、とりわけディスポーザブル製品においては、廉価に製造することが必要である。
【特許文献１】特開平１１−１５５９５９号公報
【発明の開示】
【発明が解決しようとする課題】
【０００７】
本発明は以上のようなパイプ用継手の不具合を改良せんとするものであり、医療用チューブと医療機器との接続において迅速かつ漏れのない確実な接続強度を確保出来る医療用チューブ継手を廉価に取り入れることである。
【課題を解決するための手段】
【０００８】
本発明の医療用チューブ継手は、上記の課題を解決する為に次ぎの構造としたものである。即ち、樹脂製の医療用チューブの差し込みを許容する継手本体となるソケットと、このソケット端部にチューブ保持リング、Ｏ−リングが順次配置され、これ等をキャップにて外れ止めした医療用チューブ継手であって、チューブ保持リングによる接続強度の確保と、チューブ保持リングの爪部を通過しない位置で樹脂製チューブの外表面とキャップ内表面との間にＯ−リングを挟み込んで気密性を確保する機能を併せ持った医療用チューブ継手にかかるものである。さらには、接続後のリリース機構を省き、構造の簡略化と構成部品数を最小限とすることで製造コストを抑えた継手である。
【発明の効果】
【０００９】
医療用チューブと医療機器との接続において迅速かつ漏れのない確実な接続強度を確保出来る医療用チューブ継手を廉価に取り入れることができる。
【発明を実施するための最良の形態】
【００１０】
本発明の医療用チューブ継手は以上の構成としたため、ソケットに挿入された樹脂製の医療用チューブはチューブ保持リングの爪部によって外表面が喰い込まれて確実な接続強度が得られる。そして医療用チューブがソケットに挿入されるとき、チューブ保持リングの手前に配置されたＯ−リングを医療用チューブの外表面とキャップ内表面との間で挟み込むことにより気密性が確保できる。Ｏ−リングと接触する医療用チューブ外表面はチューブ保持リングを通過することなく無傷な状態であり、気密不良の恐れを解消したものである。
【００１１】
本発明に用いられるチューブ保持リングはばね弾性がありしかも耐食性のある例えばＳＵＳ３０４やＳＵＳ３１６等の金属製のものがよく、通常は先端がラッパ状に拡径するもので楔状の爪部を有し、拡径部位には先端より複数のスリットが入っているのがよい。
【００１２】
図１は、本発明による医療用チューブ継手１と医療用チューブ２を示す断面図であり、医療用チューブ継手１は、ソケット１１とキャップ１４とに挟まれたチューブ保持リング１２及びＯ−リング１３で構成され、ソケット１１とキャップ１４とは接着剤にて気密接合されている。図２は、医療用チューブ２が医療用チューブ継手１に挿入されたのち、チューブ保持リング１２の爪部が医療用チューブ２に食い込むことによってロックされた状態を示した断面図である。そしてＯ−リング１３と接触する医療用チューブ２の外表面はチューブ保持リング１２を通過することなく無傷な状態で圧接することとなり、気密状態を保つ。
【００１３】
細径で柔軟性の高いチューブとの迅速かつ漏れのない確実な接続強度を確保出来る継手において、接続後のリリース機構を必要としないディスポーザブル用途にも適用できる。
【図面の簡単な説明】
【００１４】
【図１】本発明の医療用チューブ継手を構成する部品と接続される医療用チューブを示した説明図である。
【図２】本発明による医療用チューブ継手と医療用チューブとの接合状態を示した説明図である。
【符号の説明】
【００１５】
１    医療用チューブ継手
１１  ソケット
１２  チューブ保持リング
１３  Ｏ−リング
１４  キャップ
２    医療用チューブ
【図１】
2007209390.tif 000003
【図２】
2007209390.tif 000004